(57)【要約】【課題】従来の技術においては、ハンドルが自動的に収納するという機能が無きものや、前記機能を有していても構成部品が多い為に組み立ておよび分解が困難であるという欠点があった。【解決手段】ハンドルおよび掃除機本体に、ハンドルを起こした際にハンドルが掃除機本体の側面の外側に広がるように当接する面を設けた。さらに、ハンドルには、掃除機本体からの抜けを防止する抜け止めを設け、掃除機本体には、ハンドルが収納された際に抜け止めと当接する面と、起こされた際に抜け止めと当接する面とを傾斜で繋ぐようにした。【選択図】  図７
2004236932.tif 000002
【特許請求の範囲】
【請求項１】
掃除機本体は集塵室、電動送風機を主体とし、前記掃除機本体の側面に回動軸を有し前記掃除機本体の表面を取り巻くように取付けたハンドルにおいて、前記ハンドルはハンドルを起こした際に、ハンドルが前記掃除機本体の側面の外側に広がることを特徴とする電気掃除機。
【請求項２】
前記ハンドルはハンドルを起こした際に、ハンドルが前記掃除機本体の側面の外側に広がるように当接する前記掃除機本体の面と前記ハンドルの面を有することを特徴とする請求項１記載の電気掃除機。
【請求項３】
前記ハンドルは前記掃除機本体からの抜けを防止する抜け止めを有することを特徴とする請求項１記載の電気掃除機。
【請求項４】
前記抜け止めは、前記ハンドルが収納されている状態と起こされている状態とでは、前記掃除機本体に当接する面が異なり、前記掃除機本体は、前記ハンドルが収納された際の面と起こされた際の面とを傾斜で繋ぐことを特徴とする請求項１記載の電気掃除機。
【発明の詳細な説明】
【０００１】
【発明の属する技術分野】
本発明は電気掃除機に関するものである。
【０００２】
【従来の技術】
従来の電気掃除機において、ハンドルは掃除機本体の側面外周に両端が回動自在に支持され、掃除機本体の外周を取り巻くように配置したものや、ハンドルの一部が掃除機本体の中に収納するものがある。後者に関してはハンドルの自重を利用して、ハンドルが本体内部に自動的に収納するという特徴を有している。図１および図２は、そのような従来のハンドルの一例を示したものである。
【０００３】
【発明が解決しようとする課題】
しかしながら、前記従来の技術においては、ハンドルが自動的に収納するという機能が無きものや、前記機能を有していても構成部品が多い為に組み立ておよび分解が困難であるという欠点があった。
【０００４】
そこで、本発明の目的は上記課題を解決し、掃除機本体に自動的に収納し構成部品が少ないハンドルを取付けた電気掃除機を提供することにある。
【０００５】
【課題を解決するための手段】
上記目的を達成するために本発明の特徴とするところは、集塵室、電動送風機を主体とした掃除機本体の側面に、回動軸を有し掃除機本体の表面を取り巻くように取付けたハンドルを有する電気掃除機において、ハンドルおよび掃除機本体に、ハンドルを起こした際にハンドルが掃除機本体の側面の外側に広がるように当接する面を設けたことにある。
【０００６】
さらに、ハンドルには、掃除機本体からの抜けを防止する抜け止めを設け、掃除機本体には、ハンドルが収納された際に抜け止めと当接する面と、起こされた際に抜け止めと当接する面とを傾斜で繋ぐようにしたことにある。
【０００７】
【発明の実施の形態】
以下本発明における実施の形態の一例について、添付の図面を用いて説明する。
【０００８】
図３は本発明の実施の形態に係る電気掃除機の全体斜視図である。
【０００９】
図３において、３０１は集塵室及び電動送風機等を収容する掃除機本体、３０２は掃除機本体３０１の前部に接続され集塵室と連通するホース継手、４０４は掃除機本体の側面外周に両端が回動自在に支持され、掃除機本体の外周を取り巻くように配置したハンドル、３０４はホース継手３０２の他端側に回動可能に接続されたホース、３０５はホース３０４の他端側が回動可能に接続され、掃除機の運転の入切を行うスイッチ手段を有する手元操作部、３０６は手元操作部３０５の他端側が接続された伸縮可能な延長管、３０７は延長管３０６の他端側に接続され掃除面のゴミを吸い込む吸口体である。
【００１０】
次に本発明の実施の形態に係る掃除機本体３０１の構造について説明する。
【００１１】
図４は本発明の実施の形態に係る掃除機の側面図である。
【００１２】
図４において、４０１は掃除機本体３０１の下部分の外郭を構成する下ケース、４０２は掃除機本体３０１の上部分の外郭を構成し、下ケース４０１の上部に配設される上ケース、４０３は集塵室の開口部を覆う集塵蓋であり、これらの構成部材により掃除機本体３０１の外郭を構成している。次に掃除機本体３０１のハンドル部分について説明する。以下本実施の形態ではホース継手が接続される側（図４における左側）を前方側、コードリール及び排気口側を後方側（図４における右側）、上ケース４０２側を上方側（図４における上側）、下ケース４０１側を下方側（図４における下側）と称する。
【００１３】
４０４は掃除機本体３０１の側面外周に両端が回動自在に支持され、掃除機本体３０１の外周を取り巻くように配設されたハンドルである。４０４は、図４に示す範囲を回動することが可能である。
【００１４】
図５は本発明の実施の形態に係る掃除機の断面図である。
【００１５】
集塵室５０１の下部を形成している下ケース４０１の壁面上部にはパッキン５０２が配設され、蓋体を閉じたときに、蓋体５０３から突設されている気密保持リブが圧接されることにより、集塵室５０１の気密を保持するようになっている。
【００１６】
また蓋体５０３の前部には係合爪が形成されていて、蓋体５０３を閉じたときに、吸込口５０４に設けられた係合穴に係止され、掃除機使用中の振動等で不用意に蓋体５０３が開くことのないようにしてある。
【００１７】
集塵袋５０５は口紙がクランプの爪に係止されることで、吸込口５０４と下ケース４０１との間に挟持された吸込口パッキン５０２に圧接保持されている。  クランプは、集塵室後方に向かって倒れるようにバネで付勢されており、集塵袋５０５がセットされていない場合には、蓋体５０３から突設されたストッパーリブと干渉して、使用者が集塵袋５０５を入れ忘れたまま蓋体５０３を閉じて掃除機の運転を始めることがないようにしてある。
【００１８】
また、掃除機本体３０１はその後部に下ケース４０１と上ケース４０２で形成された電動送風機室５０６およびコードリール室を有している。電動送風機室５０６と集塵室５０１とは隔壁５０７により仕切られ、隔壁５０７に設けられた電動送風機５０８への吸気口となる格子部により連通している。
【００１９】
電動送風機室５０６には、電動送風機５０８の吸気側が格子部およびフィルター５０９を介して集塵室５０１に臨むように電動送風機５０８を収納保持している。コードリール室は、電源コードを巻き取って本体内部に収納するためのコードリールを収納保持している。
【００２０】
掃除機本体３０１の後面には排気口５１０が設けられており、集塵袋５０５、フィルター５０９で濾過された空気は、電動送風機５０８の内部を冷却しながら排気口５１０から排出される。
【００２１】
電動送風機５０８は送風機部と電動機部からなり、送風機部の後部には通風路が設けられており、送風機部の排気の一部はこの通風路から排出される。
【００２２】
図６〜図９によりハンドル部の説明を行う。図６は掃除機本体３０１を後方側から見た図であり、図７はハンドル４０４を示したものである。ハンドル４０４は略円筒形状のハンドル軸１０１を設け、上ケース４０２にはハンドル軸１０１と嵌合する軸穴１０２が設けられている。ハンドル軸１０１には円筒から突出した抜け止め１０３を設けている。これによりハンドル４０４は上ケース４０２に回動自在に取付き、また抜け防止を図っている。ここで、軸穴１０２は略長円形状にて構成し、ハンドル４０４を引き起こした状態で抜け止め１０３が向く方向側を短径側（ハンドル軸１０１円筒の径寸法と同等）とし、ハンドル４０４を引き起こしていない状態での抜け止め１０３の方向を大きくしている。これによりハンドル４０４を引き起こした状態となる本体持ち上げ時には抜け防止の信頼性を確保し、またハンドル４０４を引き起こしていない状態では軸穴１０２にハンドル軸１０１を組込み易くし、組立て性を向上している。
【００２３】
ハンドル４０４にはスロープ形状１０４をした壁面１０５を設けており、上ケース４０２にはハンドル４０４を引き起こしたときに回動を止めるストッパー１０６を設けている。また、上ケース４０２の軸穴１０２の内側にはハンドル軸１０１の抜け止め１０３と対面する壁面１０７を設けており、この壁面１０７はハンドル軸の回転方向で２段になっており、その段差を傾斜１０８で繋いでいる。
【００２４】
これらの構成により、ハンドル４０４を引き起こすとハンドル４０４は壁面１０５のスロープ形状１０４とストッパー１０６の側面１０９が当接する形で回動し、ハンドル４０４は外側に弾性変形を起こし状態２のようになる。このとき抜け止め１０３は壁面１０７の１段目の壁面１１０から２段目の壁面１１１に動き、ハンドル４０４が外側に広がることができる。また、ハンドル４０４から手を離すとハンドル４０４は元の形状（状態１）に戻ろうとし、スロープ形状１０４と傾斜１０７を設けている為、ハンドル４０４はスムーズに回動方向に動き、元の位置に収納される。
【００２５】
このような構成の電気掃除機により、本体の外周を取り巻くように設けた略弓形のハンドル４０４において引き起こした状態から収納状態への移行が自動となり、使い勝手の良いものとなる。また弓形のハンドル４０４であるが、上ケース４０２とのギャップを小さくでき、意匠性が良く、またハンドル軸１０１も短くできるため強度確保に有効な構成となる。ハンドル４０４の自動収納においてはハンドル４０４以外の部品は用いていない為、本機能を有した多部品を使用したハンドルと比較して、組立ておよび分解は容易に行えると考えられる。
【００２６】
【発明の効果】
以上説明したように本発明によれば、ハンドルを掃除機本体に自動的に収納する機能を有し、上ケースとハンドルのギャップを小さくでき、意匠性が良く、またハンドル軸の強度確保も有効な構成となる。また本発明の機能を有した多部品を使用したハンドルと比較して、組立ておよび分解を容易にした電気掃除機を提供することができる。
【図面の簡単な説明】
【図１】従来のハンドルを備えた掃除機本体の外観斜視図。
【図２】従来のハンドル（一部が掃除機本体の中に収納する）を備えた掃除機本体の外観斜視図。
【図３】本発明の実施の形態に係る電気掃除機の全体斜視図。
【図４】本発明の実施の形態に係る電気掃除機本体の側面図。
【図５】本発明の実施の形態に係る電気掃除機本体の縦断面図。
【図６】本発明を有したハンドルを持ち上げた際の掃除機本体背面図。
【図７】本発明の実施の形態に係るハンドルの斜視図。
【図８】本発明の実施の形態に係るハンドルと上ケースの接合部を上ケースの内側より見た平面図。
【図９】本発明の実施の形態に係るハンドルを収納した状態の上ケースとハンドル軸の接合部を上ケースの内側より見た斜視図。
【図１０】本発明の実施の形態に係るハンドルを引き起こした状態の上ケースとハンドル軸の接合部を上ケースの内側より見た斜視図。
【図１１】本発明の実施の形態に係るハンドルを収納した状態の上ケースのストッパー１０６とハンドルのスロープ１０４を見た斜視図。
【図１２】本発明の実施の形態に係るハンドルを引き起こした状態の上ケースのストッパー１０６とハンドルのスロープ１０４を見た斜視図。
【符号の説明】
３０１…掃除機本体、３０２…ホース継手、３０４…ホース、３０５…手元操作部、３０６…延長管、３０７…吸口体、４０１…下ケース、４０２…上ケース、４０３…集塵蓋、４０４…ハンドル、５０１…集塵室、５０２…パッキン、５０３…蓋体、５０４…吸込口、５０５…集塵袋、５０６…電動送風機室、５０７…隔壁、５０８…電動送風機、５０９…フィルター、５１０…排気口、１０１…ハンドル軸、１０２…軸穴、１０３…抜け止め、１０４…スロープ形状、１０６…ストッパー、１０８…傾斜。
【図１】
2004236932.tif 000003
【図２】
2004236932.tif 000004
【図３】
2004236932.tif 000005
【図４】
2004236932.tif 000006
【図５】
2004236932.tif 000007
【図６】
2004236932.tif 000008
【図７】
2004236932.tif 000009
【図８】
2004236932.tif 000010
【図９】
2004236932.tif 000011
【図１０】
2004236932.tif 000012
【図１１】
2004236932.tif 000013
【図１２】
2004236932.tif 000014